(57)【要約】【課題】端子への妨害電波の侵入を防止し、性能の良好な高周波機器を提供すること。【解決手段】本発明の高周波機器は、枠体１外に突出する複数の端子６の内の一部の端子６ａを電気的にシールドするためのシールド板７が設けられ、枠体１とマザー基板９との間に位置する一部の端子６ａの露出部がシールド板７によってシールドされたため、特に外部からの電波によって悪影響を受ける一部の端子６ａがシールド板７によって電気的にシールドできて、一部の端子６ａへの妨害電波の侵入が防止され、性能の良好なものが得られる。【選択図】図１
2007128963.tif 000002
【特許請求の範囲】
【請求項１】
金属板からなる枠体と、この枠体内に取り付けられ、電子部品が搭載されて所望の電気回路を形成した回路基板と、この回路基板に取り付けられ、前記枠体外に突出する複数の端子を備え、前記枠体外に配設され、一部の前記端子を電気的にシールドするためのシールド板を有し、前記枠体を取り付けるためのマザー基板に前記枠体が取り付けられた際、前記枠体と前記マザー基板との間に位置する前記一部の端子の露出部が前記枠体と電気的に導通した前記シールド板によってシールドされたことを特徴とする高周波機器。
【請求項２】
前記シールド板によってシールドされた前記一部の端子がアンテナ端子で形成されたことを特徴とする請求項１記載の高周波機器。
【請求項３】
前記シールド板によってシールドされた前記一部の端子の一つがアンテナ端子で形成され、前記シールド板によって囲まれた前記一部の端子のもう一つが前記アンテナ端子に隣り合うグランド端子で形成され、前記グランド端子が前記シールド板に半田付けされて接続されたことを特徴とする請求項１記載の高周波機器。
【請求項４】
前記シールド板は、バネ性のある金属板で形成され、平板部と、この平板部から前記マザー基板側に突出する弾性壁を有し、前記アンテナ端子と前記グランド端子の前記露出部は、前記平板部から貫通して前記弾性壁によって囲まれ、前記グランド端子が前記平板部の位置で半田付けされると共に、前記枠体が前記マザー基板に取り付けられた際、前記弾性壁が前記マザー基板に弾接したことを特徴とする請求項３記載の高周波機器。
【請求項５】
前記シールド板は、バネ性のある金属板で形成され、平板部と、この平板部から前記枠体側に突出する弾性壁を有し、前記アンテナ端子と前記グランド端子の前記露出部は、前記平板部と前記弾性壁によって囲まれ、前記グランド端子が前記平板部の位置で半田付けされると共に、前記枠体が前記マザー基板に取り付けられた際、前記平板部が前記マザー基板に弾接したことを特徴とする請求項３記載の高周波機器。
【請求項６】
前記シールド板が前記マザー基板に設けられた接地パターンに接触するようにしたことを特徴とする請求項４、又は５記載の高周波機器。
【請求項７】
前記枠体は、底壁と、この底壁に設けられ、前記端子を通す孔部と、前記底壁よりも下方に突出し、前記マザー基板に取り付けられる一対の脚部を有し、前記シールド板は、前記平板部から前記脚部側に突出する突片と、前記平板部から前記底壁側に折り曲げられた弾性舌片を有し、前記シールド板は、前記突片が前記脚部に掛止めされた状態で、前記弾性舌片が前記孔部の近傍の前記底壁に弾接したことを特徴とする請求項４から７の何れか１項に記載の高周波機器。
【発明の詳細な説明】
【技術分野】
【０００１】
本発明は、ＣＡＴＶ放送受信用のデジタル放送受信用チューナ等に使用して好適な高周波機器に関するものである。
【背景技術】
【０００２】
従来の高周波機器の図面を説明すると、図７は従来の高周波機器に係る側面図、図８は従来の高周波機器に係る下面図であり、次に、従来の高周波機器に係る構成を図７，図８に基づいて説明すると、金属板からなるロ字状の枠体５１には、枠体５１の対向する２つの開放面を覆う２つのカバー５２が取り付けられる。
【０００３】
この枠体５１内には、ここでは図示しないが、電子部品を搭載した回路基板が配置されると共に、回路基板には、複数の端子が一列状に取り付けられ、この端子５３は、枠体５１の下面に位置する壁部５１ａから下方に突出し、また、枠体５１には、端子５３と同方向に突出した２つの脚部５１ｂが設けられて、従来の高周波機器が形成されている。
【０００４】
このような構成を有する従来の高周波機器は、図７に示すように、脚部５１ｂと端子５３がマザー基板５４の孔（図示せず）に挿入され、端子５３を挿通した壁部５１ａとマザー基板５４との間に隙間を持たせた状態で、脚部５１ｂと端子５３がマザー基板５４の導電パターン（図示せず）に半田付けされて、取り付けられた構成となっている（例えば、特許文献１参照）。
【特許文献１】特許第２９０８９６７号公報
【発明の開示】
【発明が解決しようとする課題】
【０００５】
しかし、従来の高周波機器は、マザー基板５４に取り付けられた際、マザー基板５４と壁部５１ａ間の隙間によって端子５３が露出し、開放状態にある隙間から妨害電波が端子５３側に侵入するようになり、特に、妨害電波が端子５３の一つであるアンテナ端子に飛び込んで、これが妨害となって性能が悪くなるという問題がある。
【０００６】
本発明は、このような従来技術の実情に鑑みてなされたもので、その目的は、端子への妨害電波の侵入を防止し、性能の良好な高周波機器を提供することにある。
【課題を解決するための手段】
【０００７】
上記の目的を達成するために、本発明は、金属板からなる枠体と、この枠体内に取り付けられ、電子部品が搭載されて所望の電気回路を形成した回路基板と、この回路基板に取り付けられ、枠体外に突出する複数の端子を備え、枠体外に配設され、一部の端子を電気的にシールドするためのシールド板を有し、枠体を取り付けるためのマザー基板に枠体が取り付けられた際、枠体とマザー基板との間に位置する一部の端子の露出部が枠体と電気的に導通したシールド板によってシールドされたことを特徴としている。
【０００８】
このように構成した本発明は、枠体外に突出する複数の端子の内の一部の端子を電気的にシールドするためのシールド板によって、枠体とマザー基板との間に位置する一部の端子の露出部がシールド板によってシールドされたため、特に外部からの電波によって悪影響を受ける一部の端子がシールド板によって電気的にシールドできて、一部の端子への妨害電波の侵入が防止され、性能の良好なものが得られる。
【０００９】
また、本発明は、上記発明において、シールド板によってシールドされた一部の端子がアンテナ端子で形成されたことを特徴としている。このように構成した発明は、特に、デジタル放送受信用チューナにおいて、携帯電話機と同等の８００ＭＨｚ帯となっており、従って、アンテナ端子への携帯電話機からの妨害電波の侵入を防止できて、性能の良好なものが得られる。
【００１０】
また、本発明は、上記発明において、シールド板によってシールドされた一部の端子の一つがアンテナ端子で形成され、シールド板によって囲まれた一部の端子のもう一つがアンテナ端子に隣り合うグランド端子で形成され、グランド端子がシールド板に半田付けされて接続されたことを特徴としている。このように構成した発明は、アンテナ端子がグランド端子に接続され、接地されたシールド板によって囲まれた状態になって、妨害電波の侵入を確実に防止できて、性能の良好なものが得られる。
【００１１】
また、本発明は、上記発明において、シールド板は、バネ性のある金属板で形成され、平板部と、この平板部からマザー基板側に突出する弾性壁を有し、アンテナ端子とグランド端子の露出部は、平板部から貫通して弾性壁によって囲まれ、グランド端子が平板部の位置で半田付けされると共に、枠体がマザー基板に取り付けられた際、弾性壁がマザー基板に弾接したことを特徴としている。このように構成した発明は、露出部に対するシールド板とマザー基板との間のシールドが確実となって、妨害電波の侵入を確実に防止できて、性能の良好なものが得られると共に、グランド端子が平板部の位置で半田付けされるため、グランド端子のシールド板への半田付が容易になる上に、半田付によって、シールド板の取付が簡単にできる。
【００１２】
また、本発明は、上記発明において、シールド板は、バネ性のある金属板で形成され、平板部と、この平板部から枠体側に突出する弾性壁を有し、アンテナ端子とグランド端子の露出部は、平板部と弾性壁によって囲まれ、グランド端子が平板部の位置で半田付けされると共に、枠体がマザー基板に取り付けられた際、平板部がマザー基板に弾接したことを特徴としている。このように構成した発明は、露出部に対するシールド板と枠体との間のシールドが確実となって、妨害電波の侵入を確実に防止できて、性能の良好なものが得られると共に、グランド端子が平板部の位置で半田付けされるため、グランド端子のシールド板への半田付が容易になる上に、半田付によって、シールド板の取付が簡単にできる。
【００１３】
また、本発明は、上記発明において、シールド板がマザー基板に設けられた接地パターンに接触するようにしたことを特徴としている。このように構成した発明は、シールド板の接地が一層確実にできる。
【００１４】
また、本発明は、上記発明において、枠体は、底壁と、この底壁に設けられ、端子を通す孔部と、底壁よりも下方に突出し、マザー基板に取り付けられる一対の脚部を有し、シールド板は、平板部から脚部側に突出する突片と、平板部から底壁側に折り曲げられた弾性舌片を有し、シールド板は、突片が脚部に掛止めされた状態で、弾性舌片が孔部の近傍の底壁に弾接したことを特徴としている。このように構成した発明は、枠体へのシールド板の位置決め、保持が良好となって、シールド板の安定した取付ができる。
【発明の効果】
【００１５】
本発明は、枠体外に突出する複数の端子の内の一部の端子を電気的にシールドするためのシールド板が設けられ、枠体とマザー基板との間に位置する一部の端子の露出部がシールド板によってシールドされたため、特に外部からの電波によって悪影響を受ける一部の端子がシールド板によって電気的にシールドできて、一部の端子への妨害電波の侵入が防止され、性能の良好なものが得られる。
【発明を実施するための最良の形態】
【００１６】
発明の実施の形態について図面を参照して説明すると、図１は本発明の高周波機器の第１実施例に係る要部の分解斜視図、図２は本発明の高周波機器の第１実施例に係る要部の側面図、図３は本発明の高周波機器の第１実施例に係る要部の断面側面図、図４は本発明の高周波機器の第１実施例に係る要部の断面正面図、図５は本発明の高周波機器の第２実施例に係る要部の分解斜視図、図６は本発明の高周波機器の第１実施例に係る要部の断面側面図である。
【００１７】
次に、本発明の高周波機器の第１実施例に係る構成を図１〜図４に基づいて説明すると、金属板からなるロ字状の枠体１は、複数の孔部１ａを有する底壁１ｂと、底壁１ｂの対向する２辺から上方に折り曲げられた一対の側壁１ｃと、この側壁１ｃから底壁１ｂよりも下方に突出する一対の脚部１ｄと、一対の側壁１ｃ間に設けられたここでは図示しない上壁とを有して、互いに対向する位置に開放部を有したロ字状に形成されている。
【００１８】
金属板からなる２つのカバー２は、平板状の塞ぎ部２ａと、塞ぎ部２ａの周辺に沿って折り曲げられ、枠体１を挟持するためのバネ性のある挟持部２ｂを有し、２つのカバー２のそれぞれは、塞ぎ部２ａで枠体１の対向する開放部を塞ぎ、挟持部２ｂによって枠体１の底壁１ｂ、側壁１ｃ、及び上壁を挟持して、枠体１に取り付けられ、枠体１内を電気的にシールドしており、このカバー２と枠体１とによって筺体が形成されている。
【００１９】
回路基板３は配線パターン４を有し、この配線パターン４には、種々の電子部品５が搭載されて、所望の電気回路が形成されると共に、一列状態に配置された複数の端子６は、配線パターン４に接続された状態で、回路基板１の一辺（下面部）から突出するように回路基板１に取り付けられており、端子６の内の一部の端子であるアンテナ端子６ａとグランド端子６ｂは、互いに隣り合った状態で配置されている。
【００２０】
このような構成を有する回路基板３は、枠体１内に適宜手段によって取り付けられると共に、回路基板３の取り付けられた端子６は、底壁１ｂに設けられた孔部１ａから枠体１外に突出しており、端子６の内の一部の端子であるアンテナ端子６ａとグランド端子６ｂは、一つの同じ孔部１ａから突出させている。
【００２１】
バネ性のある金属板からなるシールド板７は、四角形の平板部７ａと、この平板部７ａの長手方向の対向する辺から下方に傾斜して折り曲げられた一対の第１の弾性壁７ｂと、平板部７ａの短手方向の一辺の中央部から突出する突片７ｃと、平板部７ａの短手方向の他辺の中央部から上方に傾斜して突出する弾性舌片７ｄと、この弾性舌片７ｄの両側に設けられ、平板部７ａの他辺から下方に傾斜して折り曲げられた一対の第２の弾性壁７ｅと、平板部７ａに設けられた大きい孔７ｆと小さい孔７ｇを有する。
【００２２】
そして、このシールド板７は、平板部７ａが底壁１ｂに対向して配置され、枠体１から露出したアンテナ端子６ａの露出部が平板部７ａと非接触状態で大きな孔７ｆから下方に突出し、また、枠体１から露出したグランド端子６ｂの露出部が小さい孔７ｇから下方に突出した状態で、突片７ｃが一対の脚部１ｄ間に掛止めされると共に、弾性舌片７ｄが孔部１ａの近傍の底壁１ｂに弾接して、シールド板７の位置決めと取付が行われる。
【００２３】
この時、図２〜図４に示すように、第１の弾性壁７ｂがカバー２の挟持部２ｂの根本部に弾接すると共に、突片７ｃが脚部１ｄの根本部に弾接して、一部の端子６であるアンテナ端子６ａとグランド端子６ｂの露出部の先端部側を除く部分がシールド板７によって囲まれた状態となっており、そして、グランド端子６ｂは、平板部７ａの位置で半田８付されて、シールド板７に接続されて、本発明の高周波機器が形成されている。
【００２４】
このような構成を有する本発明の高周波機器は、例えば、ＣＡＴＶ放送受信用のデジタル放送受信用チューナに適用され、図２〜図４に示すように、端子６がマザー基板９の孔（図示せず）に挿入されて、マザー基板９に設けられた配線パターン（図示せず）に半田付けされるようになっている。
【００２５】
この時、シールド板７は、アンテナ端子６ａとグランド端子６ｂの外周を囲んだ状態で、第１，第２の弾性壁７ｂ、７ｅのマザー基板９に弾接して、シールド板７とマザー基板９との間の隙間をなくすと共に、グランド端子６ｂとシールド板７は、マザー基板９側の接地パターン１０に接続されて、接地される。
【００２６】
また、図５，図６は本発明の高周波機器の第２実施例を示し、この第２実施例を説明すると、シールド板７は、第１，第２の弾性壁７ｂ、７ｄが底壁１ｂ側に曲げられて、第１、第２の弾性壁７ｂ、７ｅが枠体１に弾接すると共に、底壁１ｂと平板部７ａ間に位置するアンテナ端子６ａとグランド端子６ｂの露出部は、平板部７ａと第１，第２の弾性壁７ｂ、７ｅによって囲まれた状態となり、そして、マザー基板９によって平板部７ａが押し付けられるようになっている。
【００２７】
その他の構成は、上記実施例と同様の構成を有し、同一部品に同一番号を付し、ここではその説明を省略する。
【００２８】
なお、上記実施例におけるシールド板７は、上記の構成以外に、種々の構成が適用できること勿論である。
【図面の簡単な説明】
【００２９】
【図１】本発明の高周波機器の第１実施例に係る要部の分解斜視図である。
【図２】本発明の高周波機器の第１実施例に係る要部の側面図である。
【図３】本発明の高周波機器の第１実施例に係る要部の断面側面図である
【図４】本発明の高周波機器の第１実施例に係る要部の断面正面図である。
【図５】本発明の高周波機器の第２実施例に係る要部の分解斜視図である。
【図６】本発明の高周波機器の第１実施例に係る要部の断面側面図である。
【図７】従来の高周波機器に係る側面図である。
【図８】従来の高周波機器に係る下面図である。
【符号の説明】
【００３０】
１  枠体
１ａ  孔部
１ｂ  底壁
１ｃ  側壁
１ｄ  脚部
２  カバー
２ａ  塞ぎ部
２ｂ  挟持部
３  回路基板
４  配線パターン
５  電子部品
６  端子
６ａ  アンテナ端子
６ｂ  グランド端子
７  シールド板
７ａ  平板部
７ｂ  第１の弾性壁
７ｃ  突片
７ｄ  弾性舌片
７ｅ  第２の弾性壁
７ｆ、７ｇ  孔
８  半田
９  マザー基板
１０  接地パターン
【図１】
2007128963.tif 000003
【図２】
2007128963.tif 000004
【図３】
2007128963.tif 000005
【図４】
2007128963.tif 000006
【図５】
2007128963.tif 000007
【図６】
2007128963.tif 000008
【図７】
2007128963.tif 000009
【図８】
2007128963.tif 000010